(57)【要約】【課題】球供給樋を機構板に固定する係止部材により該球供給樋のパチンコ球の流下を阻止する球止めを可能にし、しかも簡単な構造で確実に球供給樋を取付けると共に、球止めができるようにしたパチンコ遊技機を提供する。【解決手段】球払出装置１１にパチンコ球を連続して供給する球供給樋８と、前記球供給樋８を基板５に仮止め状態に係止する係合手段７２，７３と、前記仮止め状態の球供給樋８を基板５に着脱自在に固定する係止部材７５とを備え、前記係止部材７５は変位操作して前記仮止め状態の球供給樋８を基板に固定させた状態にて該球供給樋８内に突入してパチンコ球の流下を阻止する爪部８０を設けた。【選択図】  図８
2004351144.tif 000002
【特許請求の範囲】
【請求項１】
球払出装置にパチンコ球を連続して供給する球供給樋と、前記球供給樋を基板に仮止め状態に係止する係合手段と、前記仮止め状態の球供給樋を基板に着脱自在に固定する係止部材とを備え、
前記係止部材は変位操作して前記仮止め状態の球供給樋を基板に固定させた状態にて該球供給樋内に突入してパチンコ球の流下を阻止する爪部を有していることを特徴とするパチンコ遊技機。
【請求項２】
所定個数のパチンコ球を払出す球払出装置と、前記球払出装置にパチンコ球を連続して供給する球供給樋と、前記球供給樋を基板に仮止め状態に係止する係合手段と、前記球供給樋の流下端近傍に設けられ前記仮止め状態の球供給樋及び球払出装置を基板に着脱自在に固定する係止部材とを備え、
前記係止部材は、前記仮止め状態の球供給樋及び球払出装置を基板に固定する位置と前記仮止め状態の球供給樋のみを基板に固定する位置とに変位自在に設けられ、前記仮止め状態の球供給樋のみを基板に固定させた状態にて該球供給樋内に突入してパチンコ球の流下を阻止する爪部を有していることを特徴とするパチンコ遊技機。
【請求項３】
前記係止部材の爪部は前記球供給樋の隅角に臨んで球止めするようにしたことを特徴とする請求項１又は２記載のパチンコ遊技機。
【請求項４】
前記係止部材を前記球供給樋に設けると共に前記基板に該係止部材が係合する係止部を形成したことを特徴とする請求項１乃至３のいずれかに記載のパチンコ遊技機。
【発明の詳細な説明】
【０００１】
【発明の属する技術分野】
本発明は、パチンコ遊技機に関し、さらに詳しくは、球供給樋に球止装置を備えたパチンコ遊技機に関するものである。
【０００２】
【従来の技術】
従来、パチンコ遊技機の遊技盤裏面には周知のように、方形枠状の機構板が装着されており、該機構板の板状部に球タンクのパチンコ球を流下させながら整列させる球供給樋が設けられ、さらに所定個数のパチンコ球を確実に払出す球払出装置が前記球供給樋の下流端に連なるように設けられている。特に、近年球供給樋を機構板へ取付ける際の作業性の向上及びコストの低減化を図るために、球供給樋の機構板への取付けは、ビス着を少なくして係止爪等の固定手段によって固着するようにしている。また、前記球払出装置は、何らかの要因で故障したときに機構板から取外して修理又は交換しなければならないことから、機構板に簡単に着脱できるように弾性係止片等によって取着されている。そして、前記球払出装置を機構板から取外す際には、前記球供給樋に連続しているパチンコ球が零れ落ちないようにするために、前記球供給樋内に突入してパチンコ球の流下を阻止する球止装置が設けられている（例えば、特許文献１参照。）。
【０００３】
【特許文献１】
特開平６−１８２０４２号公報（第５頁、図８及び図９）
【０００４】
【発明が解決しようとする課題】
従来技術に示したパチンコ遊技機は、球供給樋が止めねじ及び係止爪等の固定手段により機構板にワンタッチで取付けられるようにして、取付けの作業性は向上しているものの、前記球止装置が該球供給樋に設けられているにも関わらず、前記固定手段とは別に設けられているため、必然的に部品点数が多くなってコスト高となるといった問題があった。しかも、前記球止装置は、ストッパー片とレバーとスプリングとから構成されていることから部品点数が多くその構造が複雑となり、特にストッパー片を付勢するスプリングを使用しているために、球止装置を取付ける手間が余計に掛かるといった問題があった。
【０００５】
また、前記球止装置と球払出装置の取外しとは何等関連させていないため、万一、球止装置の球止操作をし忘れた状態で機構板から球払出装置を取外すと、前記球供給樋のパチンコ球が一気に零れ散乱するという問題があった。
【０００６】
そこで、本発明は上記した課題を解決するためになされたもので、球供給樋を機構板に固定する係止部材により該球供給樋のパチンコ球の流下を阻止する球止めを可能にし、しかも簡単な構造で確実に球供給樋を取付けると共に、球止めができるようにしたパチンコ遊技機を提供することを目的とするものである。さらに、係止部材により球払出装置も固定するようにして、球払出装置を取外す際には必ず球止めができるようにしたパチンコ遊技機を提供することを目的とするものである。
【０００７】
【課題を解決するための手段】
上記した目的を達成するために、請求項１記載の発明は、球払出装置にパチンコ球を連続して供給する球供給樋と、前記球供給樋を基板に仮止め状態に係止する係合手段と、前記仮止め状態の球供給樋を基板に着脱自在に固定する係止部材とを備え、前記係止部材は変位操作して前記仮止め状態の球供給樋を基板に固定させた状態にて該球供給樋内に突入してパチンコ球の流下を阻止する爪部を有していることを特徴とする。ここでいう「基板」とは、球供給樋が取付けられる板状部を意味する。従って、パチンコ遊技機の前面枠の裏面側に設けられ、球タンク，球供給樋，球払出装置等の裏機構が装着される機構板は勿論のこと、例えば、前記機構板を介すことなく直接球供給樋を取付ける前面枠の裏面板状部のほか、前記球供給樋及び球払出装置をユニット化して、前記機構板又は前面枠に取付るために使用されるベース板も含まれる。また、パチンコ球の流下を阻止する「爪部」は、球供給樋に連続するパチンコ球間に入り込んで球止めしやすい先鋭な形状のほか、薄肉状のものも含まれる。
【０００８】
請求項２記載の発明は、所定個数のパチンコ球を払出す球払出装置と、前記球払出装置にパチンコ球を連続して供給する球供給樋と、前記球供給樋を基板に仮止め状態に係止する係合手段と、前記球供給樋の流下端近傍に設けられ前記仮止め状態の球供給樋及び球払出装置を基板に着脱自在に固定する係止部材とを備え、前記係止部材は、前記仮止め状態の球供給樋及び球払出装置を基板に固定する位置と前記仮止め状態の球供給樋のみを基板に固定する位置とに変位自在に設けられ、前記仮止め状態の球供給樋のみを基板に固定させた状態にて該球供給樋内に突入してパチンコ球の流下を阻止する爪部を有していることを特徴とする。前記係止部材を操作して、前記爪部が球供給樋内に突入し球止状態となると、前記球払出装置の固定状態が解除されて、該球払出装置が基板から取外し可能な状態となり、前記球払出装置の固定状態で前記爪部が球供給樋内から退避し球供給樋をパチンコ球が流下し得ることになる。つまり、係止部材が球供給樋内のパチンコ球を球止めしている状態の時には、球払出装置の固定状態が解除されて球払出装置を取外すことができる。
【０００９】
請求項３記載の発明は、請求項１又は２記載の発明において、前記係止部材の爪部は前記球供給樋の隅角に臨んで球止めするようにしたことを特徴とし、球供給樋内のパチンコ球になるべく干渉しないようにパチンコ球間に入り込むようにするのがよい。このとき、球供給樋の隅角位置に前記爪部が臨む窓孔を開設するのが好ましく、窓孔を隅角に開設することにより球供給樋のパチンコ球の流下に何等影響を及ぼすことはない。また、前記係止部材の爪部は、球供給樋の最下端に位置するパチンコ球を球止めするように臨む位置に設けるのが好ましい。
【００１０】
請求項４記載の発明は、請求項１乃至３のいずれかに記載の発明において、前記係止部材を前記球供給樋に設けると共に前記基板に該係止部材が係合する係止部を形成したことを特徴とする。
【００１１】
前記係止部材は基板側に設けられ、該係止部材により直接球供給樋に係合して基板に固定するようにした。
【００１２】
前記係合手段は、前記球供給樋又は基板のいずれか一方に設けられる係合片と、他方に設けられ球供給樋を摺動することにより前記係合片が係合する係合部とで構成され、前記係合片と係合部の係合により球供給樋を基板に仮止め状態にするようにした。
【００１３】
また、前記係止部材は、前記球供給樋を基板に固定する係合部を備え、該係合部に前記球止部となる爪部を設けるのが好ましい。
【００１４】
また、前記係止部材は、前記球供給樋を基板に固定する第一係合部と前記球払出装置を基板に固定する第二係合部とを備え、前記第一係合部に前記球止部となる爪部を設けるのが好ましい。
【００１５】
前記係止部材は、通路に対して前後又は左右方向の回動式であっても前後又は左右，斜め方向のスライド式であってもよく、球供給樋を基板に固定する位置と球供給樋を基板に固定すると共に球供給樋のパチンコ球を球止する位置とに変位自在に設けるようにすればよい。
【００１６】
前記球供給樋を基板に固定する位置と、球供給樋を基板に固定すると共に球止する位置とに前記係止部材を位置決めする位置決め手段を設けるのが好ましい。前記位置決め手段は、例えば、前記係止部材の係止部の下面に突子を設け、一方、球供給樋側に凹部を設けて該凹部に前記突子を嵌合させることで位置決めがなされる。前記係止部材の位置決め手段を設けることにより、球供給樋の係止状態と球供給樋の係止状態及び球止め状態を確実なものとすることができる。
【００１７】
前記した本発明の構成によれば、球供給樋を基板に固定する係止部材により球供給樋の球止めを行うようにしたので、別途球止機構を設けることがなく、部品点数を削減してコストの低減に大きく寄与する。さらに、球払出装置の固着機能を付加すると共に、球払出装置の固着状態で球止めを解除し、球払出装置の固着解除状態で球止状態となるようにしたことにより、確実な球止めが行われる。つまり、球払出装置を基板から取外す際に、その係止を解除する係止部材を操作すると、爪部が球供給樋の供給通路に臨み球止めを行い球零れを防止することができる。逆に、球払出装置を基板に装着して係止部材で係止固定すると、必ず球止めしていた爪部が供給通路から後退して球払出装置にパチンコ球が供給可能となる。このように、球払出装置の着脱時の係止・解除操作により必ず球止め・解除操作が行われる。
【００１８】
また、前記球払出装置を覆うカバー体を設けるようにして、前記係止部材にカバー体を固定する係合部を設け、該係止部材により該カバー体を固定するようにしてもよい。前記係止部材は、球供給樋を基板に固定する位置と球供給樋を基板に固着すると共に前記カバー体を係止する位置とに変位自在に設けられ、カバー体の係止状態が解除される位置で係止部材（爪部）が前記球供給樋内に突入して、該球供給樋内のパチンコ球の流下を阻止するようにすればよい。このとき、前記カバー体に前記球払出装置の取外しを阻止する阻止手段を設けるのが好ましく、例えば、球払出装置の取外し方向を規制する阻止片又はパチンコ球が通過し得る通路部を設けて、球払出装置の基板からの取外しを阻止するようにすればよい。
【００１９】
また、前記球供給樋は傾斜状に設けられる傾斜樋と屈曲状に設けられる屈曲樋とで構成され、前記傾斜樋の流下端近傍に設けられ該傾斜樋を基板に着脱自在に係止する係止部材を設け、前記係止部材は、前記傾斜樋を基板に係止する位置とその係止状態を保持しつつ球止めする位置とに変位自在に設けるようにすればよい。さらに、係止部材に前記屈曲樋を基板に取付ける取付機能を付加するようにしてもよい。このとき、屈曲樋の係止状態を解除したときに係止部材（爪部）が前記傾斜樋内に突入して該傾斜樋内のパチンコ球の流下を阻止するようにするのが好ましい。
【００２０】
【発明の実施の形態】
次に、本発明の一実施の形態を図面を参照して説明する。図１はパチンコ遊技機の裏面図である。図において、１はパチンコ遊技機の外枠、２は外枠１の前面に開閉自在に装着される前面枠であり、該前面枠２の裏面側に遊技盤取付枠３が一体に設けられている。４は遊技盤取付枠３に着脱自在に取着された遊技盤である。
【００２１】
前記前面枠２の裏面には、前記遊技盤４の後面を覆うように多数の裏機構が取付けられる基板としての機構板５が配設され、その略中央に開口窓６が開設され、該開口窓６の周囲に球タンク７を始めとした裏機構が固着されている。前記球タンク７の下方には、該球タンク７に貯留されたパチンコ球を整列して後述する球払出装置１１に連続して導く球供給樋８が設けられている。該球供給樋８は、前記開口窓６の上方に位置する傾斜樋９と開口窓６の側方に位置する屈曲樋１０とで構成される。そして、その屈曲樋１０の下端には球払出装置１１が設けられ、その下方には、球払出装置１１から払出されたパチンコ球を前面枠２の前面の打球供給皿（図示せず）に導く排出通路１２と、打球供給皿の余剰球を図示しない下部球皿に導く余剰球通路１３と、球抜き通路１７とが形成され、その上面に払出制御基板１４が取着されている。一方、前記開口窓６の下方には入賞球集合樋１５が設けられ、その裏面に遊技内容を制御する制御主基板が内部に装着された基盤ボックス１６が設けられている。
【００２２】
前記球タンク７は、図２及び図３に示すように底部２０及び前後左右の四側壁１８，１９，２３，２４により上面が開放した平面略長方形の箱状に形成され、底部２０が一側壁（図上左側壁２３）に向って緩やかに下傾しており、その下流部であり前記傾斜樋９の上流始端部分に位置して、複数のパチンコ球が同時に流出し得る大径の導出口２１が開設され、該導出口２１の一側方（後面壁１９側）にパチンコ球の球心を支持する程度の球崩し部２９を形成している。該球崩し部２９の上面は前記導出口２１に向って緩やかに傾斜している。また、左右両側壁２３，２４の外面に、取付片２５，２６を一体に設けており、一方（図上左側）の取付片２５には係止孔２２が開設されると共に、後面に図５に示すようにスライド方向を規制するガイドリブ２７が形成され、下方には傾斜樋９が抜脱方向（前方向）に外れないようにする押え片２８を形成している。
【００２３】
前記球供給樋８の傾斜樋９は、図４に示すように前後側壁３０，３１及び左側壁３２，底壁３３とにより樋状に形成され、始端部を前記導出口２１からのパチンコ球を受ける球受部とし、該始端部から次第に断面凹溝状となる主流路３４が形成され、その側方に該主流路３４の途中で合流する副流路３５が段差を介して該主流路３４の底壁３３より高い位置が支持面となるように拡幅状に並設され、合流部でほぼパチンコ球１個の段差を有している。該副流路３５のほぼ終端コーナー部には図４に示すように段状の棚部３７ａ，３７ｂによって球逃し部３７が設けられている。該球逃し部３７のそれぞれの棚部３７ａ，３７ｂの段差はパチンコ球の球心を支持する約６ｍｍとしており、下段の棚部３７ａは円弧状面によりパチンコ球が支持されない幅員として、上段の棚部３７ｂは緩やかに副流路３５側に下傾している。そして、前記棚部３７ａに沿うように、該棚部３７ａに向って上る傾斜面３７ｃが形成されており、該傾斜面３７ｃは下流に向う球圧を弱める役割をなす。なお、前記球逃し部３７は図示した位置に限定されることなく、さらに副流路３５の下流側に設けるようにしてもよい。前記主流路３４は始端部を約２０ｍｍとしてパチンコ球がジグザグ状にランダムに流下し得る通路幅とし、下流側を徐々に絞って約１２ｍｍの通路幅としている。さらに、該狭窄部３９は、図５に示すように折れ点を介して底部が図上Ｒ１７０の内面緩やかな円弧状に形成され、該円弧状通路部は上流側の勾配を下流側の勾配よりも大きく設定されている。これにより、多段に積み重なった最下段のパチンコ球の流下速度を瞬間速めて、最下段のパチンコ球間に隙間を生じさせ、該隙間に上段のパチンコ球が入り込むようにして、球詰りを防止するようにしている。さらに、底部を内面緩やかな円弧状に形成することで、円弧状通路部の終端に向うに従い流速が弱まりそれに伴い球圧が減圧される。そして、円弧状通路部を流下したパチンコ球は、該円弧状通路部の終端から後述する屈曲樋１０の供給通路１０ａに放出されるように流下するため、屈曲樋１０及び球払出装置１１の負荷が軽減される。４０は傾斜樋９の終端に固設される球均し蓋であり、４１はパチンコ球の有無を検知する検知センサである。なお、前記球均し蓋４０は、揺動自在に軸支して設けるようにしても、屈曲樋１０と一体に固定的に形成するようにしてもよい。また、傾斜樋９の左側端に取着片４２が設けられ、該取着片４２には上下方向への移動を規制するリブ壁４３が設けられている。また、該傾斜樋９の後面壁３１下流端部に差込片６３が設けられている。また、前記副流路３５の下流端壁に該傾斜樋９の撓みを防止する係止部材４４が係止する鉤状の突起４５が形成されている。
【００２４】
一方、前記機構板５の裏面上部には、図３に示すように球タンク７の取付部５０が凹状に形成されている。この取付部５０は、球タンク７を機構板５に装着する際に球タンク７の後半部分を嵌合して位置決めすると共に、該球タンク７の両側壁２３，２４と底部２０の一部を支える機能を有する。また、前記取付部５０の側方に位置して球タンク７の取付固定部５１，５２を突出形成している。一方（図上右方）の取付固定部５２は、一側が開放した袋状に設けられる。他方の取付固定部５１は、傾斜樋９の取付部を兼用して、球タンク７及び傾斜樋９の撓みを防止するように、別体に形成した取付部材５５によって機構板５の板状部から５ｃｍ程突出して設けられている。前記取付部材５５は、図３及び図６，図７に示すように後面のほぼ中央に回動軸部５８を突設すると共に取付固定部５１に形成されている係止部５６に係止する横向きＬ型の鉤片５７が前記回動軸部５８を定点としたほぼ点対称に設けられている。そして、取付部材５５の前面には、球タンク７の取付片２５及び傾斜樋９の取着片４２が受けられる凹部５９ａ，５９ｂが形成されると共に、該凹部５９ａに前記係止孔２２が係止する外向きＬ字状の係止片６０が設けられると共に、前記ガイドリブ２７がスライドする摺動溝３３が形成され、さらに係止孔２２に係止片６０が係合した後に、球タンク７の側部に係止して復動を阻止する弾性係止片６９を設けている。また、凹部５９ｂには前記リブ壁４３が嵌り傾斜樋９が位置決めされる溝部６１が形成されている。該取付部材５５は、図７に示すように取付固定部５１に対して斜め状態で前記軸部５８を軸孔６２に貫挿し、該取付部材５５を回動（図上時計回り方向）させ前記鉤片５７を係止部５６に係合させ、取付部材５５が取付固定部５１に固着される。また、図４に示すように傾斜樋９の下流側に位置させて、該傾斜樋９の後面壁３１端部に設けられた差込片６３が挿通係止する開口６４を設けている。また、前記係止部材４４は、図２及び図３に示すように基部６５を前記取付固定部５２に嵌る形状とすると共に、先端に前記鉤状突起４５に係合するコ字状の掛止部６７が形成される。
【００２５】
なお、前記取付部材５５を設けることなく、機構板５に所定高さの取付固定部５１を立設するようにしてもよいが、実施の形態に示すように高さがあるため、機構板５の成形及び保管上別途形成するのが好ましい。また、取付部材５５に球タンク７を係止する係止片６０及び弾性係止片６９を設けているが、万一該係止片６０又は弾性係止片６９が損傷しても取付部材５５のみを交換すればよく、機構板５全体を交換することがなく無駄をなくすことができる。
【００２６】
上記構成の球タンク７及び傾斜樋９の取付けは、次の如く行われる。先ず、傾斜樋９の右の差込片６３を開口６４に挿入し、左の取着片４２を取付固定部５１に当接させ、リブ壁４３を溝部６１に嵌めて上下左右の移動を規制する。そして、前記係止部材４４の掛止部６７を鉤状突起４５に係合させて基部６５を前記取付固定部５２に嵌め込む。このとき、該傾斜樋９の取付けにより、前記取付部材５５の取外し方向（図上反時計回り方向）への回動が規制され、該取付部材５５が外れることがない。次に、球タンク７の右取付片２６を前記係止部材４４の基部６５を押えるようにしながら、図３鎖線に示すように左取付片２５の係止孔２２に前記Ｌ型の係止片６０を臨ませる。そして、この状態で球タンク７を前記取付部材５５が固定される方向でもある右方向にスライドさせると、同図実線に示すように右取付片２６が取付固定部５２に貫挿し、前記係止部材４４の抜脱を防ぐと共に、係止片６０が係止孔２２に係合して取着される。このとき、図６に示すように、押え片２８が前記傾斜樋９の取付片４２に重合して傾斜樋９の前方への移動を阻止すると共に、取付部材５５に設けられた弾性係止片６９が図２に示すように球タンク７の左取付片２５に係止して、球タンク７の左方向への移動を阻止して、球タンク７及び傾斜樋９がビス着することなく確実に機構板５に取付けられる。このように、傾斜樋９は球タンク７を取着固定することで、係止部材４４が撓みを防止した状態に確固として取付けられ、球タンク７を外さない限り傾斜樋９を取外すことはできない。
【００２７】
前記屈曲樋１０は、図８に示すように上流側を緩やかな湾曲状に形成し中流から下流側を連続して屈曲させて流勢を弱めるようにしており、コ字状に一側を開放した供給通路１０ａを一体に形成した裏枠体７０に、該開放側を表枠体７１で閉塞することで構成され、上流から中流にかけての通路幅を約２０ｍｍから１２ｍｍへと徐々に逓減するようにしている。そして、屈曲樋１０を機構板５に仮止め状態に取着する係合手段としての係合片７２が複数設けられ、該屈曲樋１０の上面に位置する係合片７２は、後述する係合部７３が貫挿する開口７４を介して設けられている。また、屈曲樋１０の下流端に、図１１に示すように後述する係止部材７５が係止する係止リブ７６が設けられ、供給通路１０ａの下端でありパチンコ球の流下に何等支障のない隅角位置に窓孔７７が開設されている。
【００２８】
また、屈曲樋１０の取着部Ｓ１には、前記係合片７２を上方から受入れ係合する係合部として上方が開放した袋状の係合受部７３が設けられている。また、屈曲樋１０の下流端近傍に位置して、該屈曲樋１０を機構板５の取着部Ｓ１に着脱自在に固定する係止部材７５が設けられている。前記係止部材７５は、ほぼ角柱形状の塊体であり、前記係止リブ７６に係止する係合部７９と、その先端に前記供給通路１０ａの窓孔７７に進退する嘴状の爪部８０が形成されており、前記取着部Ｓ１に設けられた枠部７８にスライド自在に設けられる。そして、係止部材７５の位置決め手段として、係止部材７５に弾性突起８１が設けられ、前記枠部７８に前記弾性突起８１が係止する凹部８２が形成されている。また、屈曲樋１０の取着部Ｓ１に、該屈曲樋１０の外周縁に当接し得るように、該屈曲樋１０の係合方向を規制するガイドリブ３６を設けている。なお、前記爪部８０は、球供給樋１０ａに連続するパチンコ球間に入り込んで球止めしやすい先鋭な形状のほか、薄肉状のものであってもよい。そして、爪部８０は前記係合部７９と連設して設けることなく、個々に分離して設けるようにしてもよい。
【００２９】
次に、図９及び図１０を参照して球払出装置１１の構成について説明する。球払出装置１１は、箱枠状のケース体８３に前記屈曲樋１０の供給通路１０ａと連通する球通路８４と、前記球通路８４に進退自在に臨み最先のパチンコ球を制御支持する払出制御体８５と、前記払出制御体８５を駆動する電気的駆動源としてのソレノイド８６とを備え構成している。そして、前記払出制御体８５の上方に位置して鉛直面内で球荷重により回動する回転規制体８７が回動自在に設けられ、球通路８４を流下するパチンコ球の流速を制御すると共に、所定間隔をもって払出制御体８５に導くようにしている。なお、前記回転規制体８７を払出制御体８５の回動面と直交する面内に設けるようにして、パチンコ球の流下方向を変化させて流速を制御するようにしてもよい。
【００３０】
前記球通路８４は、図６に示すように前記屈曲樋１０の供給通路１０ａと連通する流入通路部８４ａと、前記払出制御体８５の支持から外れて払出される排出通路部８４ｂと球抜き通路部８４ｃとで構成されている。なお、前記流入通路部８４ａは、前記回転規制体８７の回転を促す方向に屈曲して形成され、前記払出制御体８５の直上位置は、前記回転規制体８７が球荷重により巻き込むように送り込むパチンコ球が側壁に衝止して噛まないように、回転方向に僅かながら湾曲傾斜させて回転方向の側壁を湾曲して設けられている。
【００３１】
８８は前記排出通路部８４ｃに払出されたパチンコ球を検出するセンサであり、該センサ８８は発光部と受光部とからなる光学式センサで、しかも排出通路部８４ｂの中心線からずれた位置でその光軸が交差するように配置される。そして前記払出制御体８５による拘束から解放されたパチンコ球が光軸を遮ることで該パチンコ球を検知し得るように配置される。言い換えれば、払出制御体８５により制止されている最先のパチンコ球は光軸を遮断することなく未だ検知されない状態にある。
【００３２】
前記回転規制体８７は、図１０に示すように外周に凹凸部としての凹凸歯８７ａ，８７ｂを複数（本実施の形態において５個）設けたスプロケットタイプで、前記球通路８４内に臨んで流入通路部８４ａのパチンコ球を凹歯８７ａで受入れて、該パチンコ球の重量が該回転規制体８７に回転トルクを及ぼすように軸支８７ｃしている。そして、パチンコ球を凹凸歯８７ａ，８７ｂで支持しパチンコ球を自重で流下させることにより、順方向に従動回転するようにしている。前記凸歯８７ｂの頂点から背面にわたり、回転規制体８７の回転中心８７ｃからの距離が漸次減少する巴形状として、凸歯８７ｂで支持されたパチンコ球を凹歯８７ａに素早く受入れるようにしている。このため、高速回転による払出しに対応することができる。
【００３３】
前記払出制御体８５は、排出通路部８４ｂの内周側に支軸８９により揺動自在に軸支され、球通路８４に進退する支持部８５ａが嘴状に尖って先細テーパ状に形成されており、基部に透孔９０が開設され、該透孔９０に略く字状に形成したリンク部材９１の係合ピン９１ａを係合させている。また、リンク部材９１は、払出制御体８５の下方に位置して軸９３により回動自在に軸着され、後端に二股状の係合部９４が形成されており、ソレノイド８６のプランジャ８６ａに固着された操作体９２の突片９２ａを係合させている。そして、ソレノイド８６を励磁することによってプランジャ８６ａがスプリング８６ｂの弾性に抗して牽引されることから、リンク部材６５を介して該払出制御体８５が回動軸８９を中心として回転し、先端支持部８５ａが球通路８４の内周壁に開設された窓孔９６より球通路８４に出没動することで、供給通路部８４ａの最先パチンコ球の流下を制止し得るように構成している。なお、前記リンク部材９１の上面に支持部９１ｂが形成されており、前記払出制御体８５を球通路８４から針金等により回動させ、不正にパチンコ球を払出そうとしても、払出制御体８５の下端が前記支持部９１ｂに接触衝止して、払出制御体８５の回動を阻止し、不正行為を防止する機能を備えている。
【００３４】
また、前記球払出装置１１には球抜き装置９７が設けられている。該球抜き装置９７は、図９に示すように排出通路部８４ｂと球抜き通路部８４ｃとを切替える切替弁９８と該切替弁９８を作動させる作動部材９９とで構成されている。該作動部材９９はケース体８３に回動自在に設けられ、一側に前記ソレノイド８６のプランジャ８６ａを強制的に作動させる操作部９９ａを有し、他側に前記切替弁９８と連繋する長孔９９ｂを形成している。前記切替弁９８は払出制御体８５の下方に位置して排出通路部８４ｃと球抜き通路部８４ｄとを切替えるように回動自在に軸支され、該切替弁９８の一端に形成された軸ピン９８ａを前記長孔９９ｂに遊嵌し、作動部材９９を回動させることで切替弁９８が回動するようにしている。１００ａ，１００ｂは作動部材９９の常態位置と球抜き位置とを規制する位置決め突起であり、作動部材９９に切溝により形成した弾性係止片１０１が係止するようにしている。球抜き操作は、前記作動部材９９を図上反時計回り方向に回動させると、それに伴い切替弁９８が回動すると共に、操作部９９ａが上動し、該操作部９９ａが前記ソレノイド８６のプランジャ８６ａを強制的に上動して、払出制御体８５を作動させてパチンコ球を排出通路部８４ｂに排出し、切替弁９８により切替えられた球抜き通路部８４ｃに該パチンコ球を導き球抜きする。このとき、作動部材９９は、弾性係止片１０１が前記位置決め突起１００ｂに係止して位置決めされ、球抜き状態を維持している。このように、作動部材９９を操作すると切替弁９８を切替えると共に、ソレノイド８６のプランジャ８６ａを強制的に上動させることができるので、球抜きを手動で行うことができ、球抜き時にわざわざソレノイド８６に通電して励磁させることがない。なお、この実施の形態において作動部材９９と切替弁９８とを別部材としたが、切替弁９８にソレノイド８６のプランジャ８６ａを強制的に作動させる操作部を一体に設けるようにしてもよい。
【００３５】
前記ケース体８３の一側上下には、該球払出装置１１を機構板５に取着するための鉤状の掛合片１０３が突設されると共に、位置決め突起１０４が形成され、他側に固定係止部材１０５が嵌る凹溝１０６を形成している。該固定係止部材１０５は、幅が約１８ｍｍで辺長がそれぞれ１８，３６，１８ｍｍのコ字状に形成され、対向片の両端に係止孔９５が形成されており、内壁に２条の補強リブ１０７を設けて僅かに撓むようにしている。なお、前記固定係止部材１０５は、前記センサ８８の取付けにも使用される。
【００３６】
一方、機構板５に設けられる球払出装置１１の取着部Ｓ２には、前記位置決め突起１０４が嵌る開口１０８及び前記掛合片１０３が係止する掛止孔１０９がほぼ同寸法幅に開設されている。また、前記球供給路部８４ａを挟むように対向位置して立壁１１０が補強リブ１１０ａと共に立設され、該立壁１１０の上部外方に前記固定係止部材１０５の係止孔９５が係止する係止爪１１１が下向きテーパ状に形成されている。
【００３７】
上記屈曲樋１０及び球払出装置１１の取付けは、先ず球払出装置１１を図９及び図１０に示すように前記掛合片１０３を前記掛止孔１０９に上方から臨むように掛止めして位置決め突起１０４を開口１０８に嵌合する。そして、前記固定係止部材１０５を立壁１１０を跨ぐように嵌め込み、係止孔９５を係止爪１１１に係止させると、固定係止部材１０５が凹溝１０６に嵌り、球払出装置１１の抜脱方向の移動を阻止する。次に、前記屈曲樋１０の取付けは、前記係合片７２を前記係合受部７３の上方から臨ませるように下方にスライドさせて係合させる。このとき、屈曲樋１０の下端は図１１（イ）に示すように前記球払出装置１１の球通路８４の始端部に接する状態となる。そして、前記係止部材７５の摘み片７５ａを摘んでスライドして、図１１（ロ）に示すように係合部７９を係止リブ７６に係止させ屈曲樋１０の上動を阻止して固着する。このとき、係止部材７５は前記弾性突起８１が凹部８２に嵌り位置決めされる。
【００３８】
次に、保守・交換のために球払出装置１１を外す際に球止めするには、図１１（ロ）実線位置から係止部材７５の摘み片７５ａを摘んでスライドさせて図１１（ロ）鎖線位置に変位させ、球止部となる爪部８０が窓孔７７から供給通路１０ａに突入して該供給通路１０ａの最下端に位置するパチンコ球の流下を阻止して球止めする。このとき、図１０に示すように爪部８０が先鋭であり、しかも供給通路１０ａの隅角に進入するため、供給通路１０ａ内のパチンコ球を上動させたり干渉したりすることなく確実に球止めすることができる。また、係止部材７５は係合部７９が係止リブ７６に係止した状態であり屈曲樋１０は外れることはない。この状態で、球払出装置１１を取着している固定係止部材１０５を外すことで、前記掛合片１０３と前記掛止孔１０９との係合が解除でき球払出装置１１を取外すことができる。このとき、爪部８０により屈曲樋１０のパチンコ球が球止めされているので、球零れを起しパチンコ球が床に散乱することはない。なお、この実施の形態において、球払出装置１１の取着手段を固定係止部材１０５としたが、取着手段は何等限定されるものではなく、ビス着等により取着するようにしてもよい。そして、再度球払出装置１１を取着し、係止部材７５を操作して図１１（ロ）実線位置にスライドさせて、爪部８０を供給通路１０ａから後退させて球止めを解除すれば、供給通路１０ａのパチンコ球が球払出装置１１に供給される。
【００３９】
なお、前記係止リブ７６を設けることなく、屈曲樋１０の裏枠体７０又は表枠体７１ケース体８３に直接係止部材７５を係合させるようにしてもよい。また、前記係止部材７５を左右スライド式としたが、通路１０ａに対して回動式であっても前後又は斜め方向のスライド式であってもよく、球供給樋８を機構板５に固定する位置と球供給樋８を機構板５に固定すると共に、球止めする位置とに変位自在に設けるようにすればよい。また、実施の形態において係止部材７５を屈曲樋１０の下流側に位置して設けるようにしたが、その配設位置に限定されるものではなく、従来のように屈曲樋１０の上流部に設けるようにしてもよい。
【００４０】
図１２は、係止部材７５に球払出装置１１の固着機能を設けた実施の形態を示し、前記固定係止部材１０５に代えて係止部材７５により取着固定するようにしている。なお、前記実施の形態と同じ構成には同一符号を付して説明する。この実施の形態において、球払出装置１１の上方に凹欠き１１２ａを介して上向きＬ字状の押え片１１２が設けられ、屈曲樋１０には前記係止リブ７６に代えて係止片１１３が設けられている。また、屈曲樋１０及び球払出装置１１を機構板５に着脱自在に固定する係止部材７５は、前記係合部７９が前記係止片１１３に係止するように段状に形成され、下方に球払出装置１１を固着する固定片１１４を設け、スライド方向に供給樋１０内に突入してパチンコ球の流下を阻止する球止部として先鋭の爪部８０を設けている。そして、前記係止部材７５は、屈曲樋１０及び球払出装置１１を機構板５に固定する位置と該屈曲樋１０を機構板５に固定する位置とに変位自在に屈曲樋１０の下流端近傍に設けられる。
【００４１】
上記構成の屈曲樋１０及び球払出装置１１の取付けは、図９及び図１０に示すように球払出装置１１を掛合片１０３を掛止孔１０９に掛合することにより仮止め状態にすると共に、屈曲樋１０を係止片７２と係合受部７３との係合により仮着する。そして、係止部材７５を図１２（イ）実線位置から鎖線位置にスライドさせて、係合部７９を係止片１１３に係合させると共に、固定片１１４により押え片１１２を押え、屈曲樋１０及び球払出装置１１を固定する。このとき、図１２（ロ）に示すように弾性突起８１が凹部８２に嵌り位置決めされており、球止部８０は窓孔７７から後退した状態におり、供給通路１０ａをパチンコ球が流下し得る状態となっている。
【００４２】
次に、保守・交換のために球払出装置１１を外すには、図１２（ロ）鎖線に示すように係止部材７５をさらにスライドして固定片１１４を押え片１１２の凹欠き部１１２ａに位置させ、押え片１１２との係合を解除する。同時に前記爪部８０が窓孔７７から屈曲樋１０の供給通路１０ａ内に突入し、該供給通路１０ａ内のパチンコ球の流下を阻止して球止めされる。この状態で、球払出装置１１の掛合片１０３と掛止孔１０９の係止を解除して該球払出装置１１を取外すことができる。このとき、供給通路１０ａのパチンコ球は、前記爪部８０で球止めされているので球零れを起すことはない。そして、再度球払出装置１１を取着するには、掛合片１０３を掛止孔１０９に係止した仮止め状態で、係止部材７５を操作して図１２（ロ）鎖線位置から実線位置にスライドさせると、固定片１１４が押え片１１２を押え球払出装置１１が固定される。このとき、前記爪部８０が同時に移動して窓孔７７から後退し、球止めが解除されて供給通路１０ａのパチンコ球が球払出装置１１に供給される。このように、球払出装置１１を外す際には、必ず球止部となる爪部８０が供給通路１０ａ内に進入して球止状態となるので球零れの心配はない。しかも、逆に係止部材７５により球払出装置１１を係止すれば必然的に球止め解除されるので、球止解除をし忘れることがない。このため、パチンコ球が供給されず賞球等が払出されないということが起こらず遊技者に迷惑をかけることがない。なお、係止部材７５が図１２（ロ）から屈曲樋１０が外れる図１２（イ）位置に容易に移動しないように別途係止手段を設けるのが好ましい。また、押え片１１２を設けることなく球払出装置１１のケース体８３に直接係止部材７５を係合させるようにしてもよい。
【００４３】
図１３はさらに他の実施の形態を示し、係止部材７５を屈曲樋１０に設けるようにしている。この実施の形態において、係止部材７５は屈曲樋１０の下流端部近傍に板状部１１５を介して軸部１１６に回動自在に設けられ、屈曲樋１０及び球払出装置１１を機構板５に固定する位置と該屈曲樋１０のみを機構板５に固定する位置とに変位自在に設けられている。該係止部材７５は、筒部１１７から屈曲樋１０を固着する係合部としての係止片１１８と該係止片１１８とほぼ９０°ずらした位置に、前記球払出装置１１に係止して該球払出装置１１を固着する固定片１１９を設けている。前記係止片１１８の外周は、軸部１１６を中心とした円弧状に形成している。そして、前記爪部に替えて、前記係止片１１８の先端に供給通路１０ａの窓孔７７から進退する球止部として嘴状の爪片１２０が設けられている。一方、機構板５には前記係止片１１８が係合する係止部１２１が前記係止部材７５の通過間隔を離して突設されており、係止部１２１の下面は前記係止片１１８の円弧面にほぼ合致する形状に形成されている。なお、一方の係止部１２１ｂの端部を係止片１１８の円弧面より小径として軸部１１６側に湾曲させて、係止部材７５の回動範囲を規制する規制部１２１ｃとしている。また、この実施の形態の球払出装置１１には、上部一側壁に押え片１２２が設けられる。さらに、係止部材７５の位置決め手段として、係止片１１８及び固定片１１９の下面に小突起８１ａを突設し、一方、押え片１２２及び板状部１１５の上面に凹部８２を設けて該凹部８２に小突起８１ａを嵌合させるようにしている。なお、係止片１１８及び固定片１１９を個々に設けるようにしたが、係止片１１８及び固定片１１９を連設状の一体物として供給樋８及び球払出装置１１を固定する係合部として設けるようにしてもよい。
【００４４】
上記実施の形態の屈曲樋１０及び球払出装置１１の取付けは、前記実施の形態と同様に球払出装置１１を掛合片１０３と前記掛止孔１０９との係合により機構板５に仮止め状態にすると共に、屈曲樋１０を係止片７２と係合受部７３との係合により機構板５に仮着する。そして、係止部材７５を変位操作して図１３（イ）鎖線位置から実線位置に回動させて、係止片１１８を係止部１２１ｂに係合させると共に、固定片１１９により押え片１２２が押え込まれる。これにより、屈曲樋１０は上動を阻止され、球払出装置１１は後方への移動を阻止され、屈曲樋１０及び球払出装置１１の双方が１つの係止部材７５により確実に機構板５に固着される。このとき、屈曲樋１０を外す方向（図において上方向）に移動させようとして、係止部材７５が係止部１２１ｂによりさらに時計回り方向に回動しようとするも、前記係止部１２１ｂに設けられた回動規制部１２１ｃにより回動が規制され、係合状態が確実に保持される。
【００４５】
次に、前記球払出装置１１を外すには、係止部材７５を変位操作して図１３（ロ）実線位置に回動させて、固定片１１９を押え片１２２から外すと共に、係止片１１８を係止部１２１ａに係合させ、位置決めの小突起８１ａが凹部８２に嵌ると、爪片１２０が窓孔７７から供給通路１０ａ内に突入して供給通路１０ａのパチンコ球の流下を阻止する。そして、球払出装置１１の掛合片１０３と前記掛止孔１０９との係合を解除して機構板５から取外すことができる。このとき、屈曲樋１０のパチンコ球は前記爪片１２０により球止めされているため、球零れを起すことはない。
【００４６】
なお、係止部材７５に球払出装置１１の固着機能を付加するようにしたが、直接球払出装置１１に係止することなく、例えば、球払出装置１１を覆うカバー体を係止するようにしてもよい。当然カバー体を係止している状態では球払出装置１１が外されることはなく、カバー体の係止状態を解除したときに、前記球止部としての爪部８０，爪片１２０が供給通路１０ａ内に進入して球止めされるようにすれば、カバー体を開放して球払出装置１１を取外しても、決して球零れを起すことはない。よって、直接係止部材７５で球払出装置１１を固着するのと同じように、球払出装置１１を取外す作業をする際には必ず球止めをすることになり、同様の効果を奏することができる。このとき、球払出装置１１の固着方法は、前記実施の形態と同様の掛合片１０３による固着であっても、屈曲樋１０のようにスライドによる固着であっても、該カバー体により固着されるようにしてもよく、固着方法は限定されるものではない。特に、球払出装置１１をパチンコ球の流下方向にスライドさせて固着する場合には、当然通路間にそのスライド量の隙間が生じるため、カバー体にその隙間を埋める通路部を形成して、カバー体を装着した状態で該通路部が前記隙間を埋めるようにして、球払出装置１１の移動を阻止すると共に、パチンコ球が確実に流下するようにしてもよい。なお、前記カバー体は軸支部により回動自在に設けられたものであってもよい。
【００４７】
また、実施の形態において、球供給樋８を取着する基板を機構板５としたが、例えば、前記機構板５を介すことなく直接球供給樋８を取付ける前面枠２自体（裏面板状部）であってもよい。さらに、前記機構板５又は前面枠２に球供給樋８及び球払出装置１１を個々に取付ることなく、前記球供給樋８及び球払出装置１１を１つの裏機構としてユニット化するようにしてもよく、このときの基板は、該球供給樋８及び球払出装置１１をユニット化するために組付けるベース板である。
【００４８】
また、上記実施の形態は屈曲樋１０の取付けについて説明したが、傾斜樋９の取付けとしてもよい。具体的には、前記傾斜樋９の流下端近傍に設けられ該傾斜樋９を基板に着脱自在に係止する係止部材７５を設け、前記係止部材７５は、前記傾斜樋９を基板に固定する位置とその係止状態を保持しつつ球止めする位置とに変位自在に設けるようにすればよい。さらに、係止部材７５に前記屈曲樋１０の取付機能を付加するようにしてもよい。このとき、屈曲樋１０の係止状態を解除したときに球止部が前記傾斜樋９内に突入して、該傾斜樋９内のパチンコ球の流下を阻止するようにするのが好ましい。
【００４９】
なお、実施の形態において球供給樋８を１条で流下するものとして説明したが、これに限定されるものではなく、２条以上の複数であってもよいのはいうまでもなく、さらに複列又は半複列で流下する幅広の通路としても、該幅広の通路を漸次絞るようにして整列させるようにしてもよい。このとき、当然球止部は球供給樋８のパチンコ球の流下を阻止する幅，個数が設定される。また、球タンク７に貯留されたパチンコ球を、傾斜樋９及び屈曲樋１０を介して球払出装置１１に供給するようにしたが、パチンコ遊技機にパチンコ球を補給する球供給樋としての補給樋から直接球払出装置１１に供給するようにしてもよい。このとき、補給樋を係止部材７５で固着すると共に球止めし得るようにすればよい。また、当然のことながら球払出装置１１は、上記実施の形態に限られるものではなく、パチンコ球の球荷重により払出されるのものであっても、ケース体に収納されたパチンコ球を払出すものであってもよい。
【００５０】
また、本願発明は、打球を発射レールに１個ずつ送り込む打球供給装置の取着構造にも適用でき、打球供給装置の取外し時に打球供給皿のパチンコ球を整列して導く整流通路の球止めをし得るようにすればよい。
【００５１】
なお、実施の形態において、パチンコ遊技機として説明したが、パチンコ遊技機とは、パチンコ球を使用して遊技する遊技機であり、直接パチンコ球を遊技盤面に打ち込んで遊技をするものであっても、パチンコ球を賭数として回収して遊技する所謂「パチロット」であってもよい。
【００５２】
【発明の効果】
以上説明したところから明らかなように、本発明に係るパチンコ遊技機によれば、球払出装置にパチンコ球を供給する球供給樋と、前記球供給樋を基板に着脱自在に固定する係止部材とを備え、前記係止部材は、前記球供給樋を基板に固定させた状態で該球供給樋内のパチンコ球の流下を阻止する爪部とを有し、前記係止部材により前記球供給樋を固定する位置と、前記球供給樋を固定すると共に、前記爪部により球止めする位置とに変位自在に設けたので、球供給樋を基板に固定すると共に確実に球止めができ、部品点数を削減してコストの低減を図り、作業能率を向上することができる。
【００５３】
さらに、係止部材に球払出装置を固定する係合部を設けることにより、該球払出装置の係止状態が解除されたときに前記球供給樋内に突入してパチンコ球の流下を阻止するようにしたので、球払出装置の取着時の必然的な操作により確実に球止めができパチンコ球が外へ零れ落ちることはない。しかも、球払出装置を固定すると球止めも解除され、球止め解除のし忘れもなく遊技に支障をきたすことがない。
【図面の簡単な説明】
【図１】パチンコ遊技機の裏面図である。
【図２】球タンク部分の正面図である。
【図３】球タンク部分の平面断面図である。
【図４】傾斜樋部分の平面断面図である。
【図５】傾斜樋の要部正面断面図である。
【図６】取付固定部の側面図である。
【図７】取付部材の取付けを示す作用説明図である。
【図８】屈曲樋及び球払出装置部分の正面図である。
【図９】球払出装置部分の正面図である。
【図１０】球払出装置部分の正面断面図である。
【図１１】（イ），（ロ）は、係止部材の作用を示す要部正面図である。
【図１２】（イ），（ロ）は、係止部材の他の実施の形態を示す要部正面図である。
【図１３】（イ），（ロ）は、さらに係止部材の他の実施の形態を示す要部正面図である。
【符号の説明】
５              機構板（基板）
８              球供給樋
９              傾斜樋（球供給樋）
１０            屈曲樋（球供給樋）
１１            球払出装置
７２            係合片（係合手段）
７３            係合部（係合手段）
７５            係止部材
７７            窓孔
７９            係合部
８０            爪部
１１４          固定片
１１８          係止片（係合部）
１１９          固定片
１２０          爪片（爪部）
１２１          係止部
【図１】
2004351144.tif 000003
【図２】
2004351144.tif 000004
【図３】
2004351144.tif 000005
【図４】
2004351144.tif 000006
【図５】
2004351144.tif 000007
【図６】
2004351144.tif 000008
【図７】
2004351144.tif 000009
【図８】
2004351144.tif 000010
【図９】
2004351144.tif 000011
【図１０】
2004351144.tif 000012
【図１１】
2004351144.tif 000013
【図１２】
2004351144.tif 000014
【図１３】
2004351144.tif 000015